(57)【要約】【課題】結露の発生を抑制するとともに、仮に結露が発生したとしても、結露を除去し得る送風装置を実現する。【解決手段】外部に向けて空気を吹き出す吹出口と、前記吹出口に送風するファンと、前記吹出口から吹き出される空気の方向を変化させる風向調整部と、前記風向調整部を制御する制御部と、を備え、窓枠を構成する下枠に沿うように設けられる送風装置であって、前記窓枠によって囲まれる範囲を送風可能に構成されることを特徴とする。【選択図】図３
2020020524.tif 000002
【特許請求の範囲】
【請求項１】
外部に向けて空気を吹き出す吹出口と、
前記吹出口に送風するファンと、
前記吹出口から吹き出される空気の方向を変化させる風向調整部と、
前記風向調整部を制御する制御部と、を備え、
窓枠を構成する下枠に沿うように設けられる送風装置であって、
前記窓枠によって囲まれる範囲を送風可能に構成されることを特徴とする送風装置。
【請求項２】
前記制御部は、結露を検出した場合に、前記下枠に向けて送風されるように前記風向調整部を制御する請求項１に記載の送風装置。
【請求項３】
前記制御部は、前記結露を検出してから所定時間毎に、前記範囲において回動動作を繰り返すように前記風向調整部を制御する請求項２に記載の送風装置。
【請求項４】
前記窓枠近傍の湿度を検出する湿度センサを備え、
前記制御部は、前記湿度センサの検出値と、前記検出値の所定時間における平均変化率と、に基づいて前記結露を検出する請求項２または３に記載の送風装置。
【請求項５】
前記窓枠近傍の温度情報及び室内の温湿度情報を取得可能に構成され、
前記制御部は、前記窓枠近傍の温度情報に対応した飽和水蒸気量と、前記室内の温湿度情報に対応した水蒸気量と、に基づいて前記結露を検出する請求項２または３に記載の送風装置。
【請求項６】
前記制御部は、前記ファンの回転を制御するとともに、前記飽和水蒸気量及び前記水蒸気量に基づいて前記結露の度合いを検出し、前記結露の度合いに応じて前記ファンの回転を制御する請求項５に記載の送風装置。
【請求項７】
前記ファンよりも送風方向下流側には、イオン発生部が設けられる請求項１から６の何れか一項に記載の送風装置。
【発明の詳細な説明】
【技術分野】
【０００１】
本発明は送風装置に関する。
【背景技術】
【０００２】
例えば、下記特許文献１には、カーテンと窓ガラス間の下端側に送風器を配置し、この送風器によりカーテンと窓ガラスとのスペース間に送風を行って対流を発生させ、窓枠などへの結露発生の防止を図ることができる送風器が開示されている。
【先行技術文献】
【特許文献】
【０００３】
【特許文献１】特開２０００−２２６９７０号公報
【発明の概要】
【発明が解決しようとする課題】
【０００４】
カーテンと窓ガラスとのスペース間に対流を発生させたとしても、送風装置が配置されるスペースの大きさや、送風装置から吹き出される空気の方向によっては、結露が生じた場合に、窓枠等に付着した水滴を除去することができない場合があった。
【０００５】
上記の問題点に鑑み、本発明は、一例として、結露の発生を抑制するとともに、仮に結露が発生したとしても、結露を除去し得る送風装置を実現することを目的とする。
【課題を解決するための手段】
【０００６】
本発明の送風装置は、外部に向けて空気を吹き出す吹出口と、前記吹出口に送風するファンと、前記吹出口から吹き出される空気の方向を変化させる風向調整部と、前記風向調整部を制御する制御部と、を備え、窓枠を構成する下枠に沿うように設けられる送風装置であって、前記窓枠によって囲まれる範囲を送風可能に構成される。
【図面の簡単な説明】
【０００７】
【図１】本発明の実施形態１に係る送風装置の配置を示す概略図である。
【図２】図１に示した送風装置の内部構造を示す斜視図である。
【図３】図１に示した送風装置の内部構造を示す断面模式図である。
【図４】図１に示した送風装置のハードウェア構成を示すブロック図である。
【図５】図１に示した送風装置の結露の検出処理の流れを示すフロー図である。
【図６】本発明の実施形態２に係る送風装置を備えた家電システムの概略構成を表した図である。
【図７】図６に示した送風装置のハードウェア構成を示すブロック図である。
【図８】所定体積当たりの飽和水蒸気量の温度変化を示すグラフである。
【図９】本発明の実施形態３に係る送風装置を備えた家電システムの概略構成を表した図である。
【発明を実施するための形態】
【０００８】
以下、図面を参照しつつ、本発明の実施の各実施の形態について説明する。なお、本明細書及び図面において、同一又は同等の要素には同一の符号を付することにより重複する説明は省略し、また、本発明に直接関係のない要素は図示を省略する場合がある。さらに、かかる実施の形態に示す構成要素の形態はあくまでも例示であって、これらの形態に限定されるものではない。
【０００９】
（第１の実施形態）
図１は、本実施の形態に係る送風装置を示す概略図である。図２は、図１に示した送風装置１の内部構造を示す斜視図である。図３は、図１に示した送風装置１の内部構造を示す断面模式図である。送風装置１は、結露が発生しやすい窓ガラスや窓枠等において、結露を防止するために使用されるものであり、一例として出窓１１に配置されている。送風装置１は、出窓を覆うカーテン１２と、窓ガラス１３との間のスペース（床面）に置かれて使用される。
【００１０】
送風装置１は、窓ガラス１３を支持する窓枠１４に沿って配置される。窓ガラス１３は、略矩形状に形成される窓枠１４に摺動可能に支持されている。送風装置１は、窓枠１４を構成する下枠１４ａに沿って配置される。送風装置１は、下枠１４ａの長手方向と後述の吹出口２ｇの長手方向が一致するように配置される。送風装置１の配置について、下枠１４ａに限らず、窓枠１４の所定の辺部から、対向する所定の辺部にかけて送風可能な位置であればよく、上枠１４ｂ、左枠１４ｃ、右枠１４ｄであってもよい。
【００１１】
送風装置１は、送風ファンと、送風ファンが収容される筐体２と、を備える。筐体２は、横に長い矩形箱形に形成される。筐体２は、前面２ａと、前面２ａとは反対側の背面２ｂと、前面２ａ及び背面２ｂをつなぐ右側面２ｃと、前面２ａ及び背面２ｂをつなぐとともに右側面２ｃとは反対側の左側面２ｄとを有している。筐体２は、上面２ｅを有している。筐体２は、前面２ａが窓ガラス１３や窓枠１４と向かい合うように、背面２ｂがカーテン１２と向かい合うように配置され、窓枠１４の近傍に配置されている。
【００１２】
送風ファンは、一例としてクロスフローファン３によって構成される。筐体２の内部には、長い円筒状のクロスフローファン３が配設されている。クロスフローファン３は、軸方向が筐体２の長手方向と一致するように筐体２内に収容されている。クロスフローファン３は、径方向より内側に取り込んだ空気を略９０度回転させた径方向に吹き出すものである。クロスフローファン３を用いることで、その軸方向に沿った広い幅で空気を吹き出すことができる。
【００１３】
筐体２の背面２ｂには、吸込口２ｆが形成される。吸込口２ｆは、外部から筐体２内に空気を取り入れる開口である。吸込口２ｆは、クロスフローファン３の軸方向に沿って形成される。吸込口２ｆは、上下に並べて複数形成される。筐体２の上面２ｅには、吹出口２ｇが形成される。吹出口２ｇは、送風装置１から外部に向けて空気を吹き出す開口である。吹出口２ｇは、クロスフローファン３の空気の吹き出し幅に応じて、その軸方向に沿って形成される。筐体２の内部には、吸込口２ｆから吹出口２ｇへ空気を送る送風路２ｈが形成される。送風路２ｈの中途部に、クロスフローファン３が配置される。
【００１４】
クロスフローファン３を収容する筐体２は、窓枠１４を構成する下枠１４ａに沿って設けられる。具体的には、送風装置１の吹出口２ｇから下枠１４ａまでの距離が略一定となるように筐体２の長手方向と下枠１４ａの長手方向とが一致するように設けられる。吹出口２ｇの長さは、窓枠１４を構成する下枠１４ａの長さと略同等以上の長さとなるように形成されている。
【００１５】
クロスフローファン３よりも送風方向下流側の送風路２ｈには、イオン発生部４が設けられる。イオン発生部４は高圧電圧の印加によりイオンを発生する電極（不図示）を有し、電極は送風路２ｈ内に面している。電極には交流波形またはインパルス波形から成る電圧が印加される。電極の印加電圧が正電圧の場合は主としてＨ＋（Ｈ２Ｏ）ｍから成るプラスイオンを発生し、負電圧の場合は主としてＯ２−（Ｈ２Ｏ）ｎから成るマイナスイオンを発生する。ここで、ｍ、ｎは整数である。Ｈ＋（Ｈ２Ｏ）ｍ及びＯ２−（Ｈ２Ｏ）ｎは空気中の浮遊菌や臭気成分の表面で凝集してこれらを取り囲む。イオン発生部４は、クロスフローファン３よりも送風方向下流側の送風路２ｈに設けられているが、これに限定されない。例えば、クロスフローファン３より送風方向上流側の送風路２ｈに設けてもよい。
【００１６】
そして、式（１）〜（３）に示すように、衝突により活性種である［・ＯＨ］（水酸基ラジカル）やＨ２Ｏ２（過酸化水素）を微生物等の表面上で凝集生成して浮遊菌等を破壊する。ここで、ｍ’、ｎ’は整数である。したがって、プラスイオン及びマイナスイオンを発生して吹出口２ｇから送出することにより居室内の除菌及び臭い除去を行うことができる。
【００１７】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００１８】
筐体２の送風路２ｈにおいて、クロスフローファン３よりも送風方向下流側には、吹出口２ｇから吹き出される空気の方向を変化させる風向調整部が設けられる。風向調整部の一例として、風向板５が用いられる。風向板５は、吹出口２ｇ近傍に設けられる。風向板５は、吹出口２ｇを開閉するとともに、吹出口２ｇが開いているときにクロスフローファン３から筐体２外に送り出される空気の方向付けを行うものである。風向板５は、一枚の板状に形成された部材から構成される。風向板５は、側面からみて、中途部に軸６を有する。風向板５は、軸６周りに回動可能に構成される。風向板５は、一枚の板状に形成された部材から構成されるが、これに限定されない。例えば、風向板５は、複数枚の板状に形成された部材から構成してもよい。また、板状に形成された部材を左右に複数枚に分割して、個別に回動可能に構成してもよい。
【００１９】
送風装置１は、吹出口２ｇから窓側に送風可能に構成される。より具体的には、送風装置１は、少なくとも窓枠１４によって囲まれる範囲（窓枠１４及び窓ガラス１３）を送風可能に構成される。送風装置１は、一例として、窓枠１４を構成する下枠１４ａに沿って設けられることで、窓枠１４の所定の辺部（下枠１４ａ）と、対向する所定の辺部（上枠１４ｂ）と、によって囲まれる範囲を送風可能に構成される。風向板５は、吹出口２ｇを閉じた位置から、一端側を上方へ少し回動させると、主として筐体２の前方（下枠１４ａ）への送風を可能とする。風向板５の一端側を上方へさらに回動させると、斜め上方（窓ガラス１３から上枠１４ｂ）への送風を可能とする。
【００２０】
筐体２には、湿度センサ７が設けられる。湿度センサ７は、筐体２の外部周辺の相対湿度（以下、「湿度」とも称する。）を検出する。相対湿度は、ある気温で大気に含まれ得る水蒸気の最大量（飽和水蒸気量）を１００とし、実際の水蒸気量の測定値を比率（パーセント）で表したものである。湿度センサ７は、下枠１４ａ近傍（室内側）の湿度を検出できるように、筐体２の前面から前方（下枠１４ａ側）へ露出した状態で配置している。湿度センサ７として、例えば、高分子感湿材料を用いた静電容量式や電気抵抗式の湿度センサを用いることができる。湿度センサ７は、筐体２の前面から前方（下枠１４ａ側）へ露出した状態で配置しているが、これに限定されない。例えば、筐体２内に湿度センサ７を設けてもよい。
【００２１】
筐体２には、操作部１０（図４参照）が設けられる。操作部１０は、風量や風向を切り換えたり、後述の通常運転モード時や結露除去運転モード時の風向を設定したりするための各種の操作具（例えば、ボタンやパネル等）を備える。
【００２２】
図４は、図１に示した送風装置１の制御部８のハードウェアの構成を示すブロック図である。送風装置１は、湿度センサ７と、制御部８と、記憶部９と、ファンモータ３ａと、風向板モータ５ａと、操作部１０と、を備える。
【００２３】
制御部８は、例えば、ＣＰＵやＭＰＵで構成される。制御部８は、記憶部９に格納される各種のプログラムを読みだして実行することで、送風装置１の動作を制御する。制御部８は、ファンモータ３ａと接続され、その回転数が任意の回転数となるようにファンモータ３ａを制御することで、クロスフローファン３の風量を変更可能としている。制御部８は、風向板モータ５ａと接続され、任意の回動角度となるように、又は任意の回動動作を行うように風向板モータ５ａの回動を制御することで、吹出口２ｇから吹き出される空気の方向を変更可能としている。
【００２４】
記憶部９は、ＲＯＭやＲＡＭで構成される。記憶部９は、制御部８によって実行されるプログラム、湿度センサ７の検出値、後述の閾値Ｔ１・Ｔ２等を格納する。
【００２５】
湿度センサ７は、制御部８と接続される。制御部８は、湿度センサ７の検出値に基づいて送風装置１の各種の動作を制御している。
【００２６】
操作部１０は、制御部８と接続される。制御部８は、操作部１０からの入力信号に基づいて送風装置１の各種の動作を制御している。
【００２７】
送風装置１の結露の検出について説明する。制御部８は、所定の条件を満たした場合に、結露を検出したものとして、ファンモータ３ａ及び風向板モータ５ａのうち、少なくとも一方を制御する。所定の条件は、湿度センサ７の検出値と、湿度センサ７の検出値の所定時間における平均変化率と、に基づいて設定される。より具体的には、湿度センサ７の検出値が閾値Ｔ１以上であり、かつ、検出値の所定時間における平均変化率が閾値Ｔ２以上である場合を所定の条件として設定している。
【００２８】
閾値Ｔ１とは、湿度の高い値を指し、例えば、８０％に設定される。検出値の所定時間における平均変化率とは、過去の検出値と比較して算出される単位時間当たりの変化量を表したものである。閾値Ｔ２とは、室内における通常の温度変化や湿度変化による単位時間当たりの湿度増加量の上限値を基準として設定される。検出値の所定時間における平均変化率が閾値Ｔ２以上である場合とは、例えば、外気の影響を受けて下枠１４ａ近傍の温度が急降下することで下枠１４ａ近傍の湿度が急上昇している場合を指す。つまり、検出値が閾値Ｔ１以上であり、かつ、検出値の所定時間における平均変化率が閾値Ｔ２以上である場合とは、湿度が急上昇して、湿度が高くなっている状態であり、結露の発生可能性が高い状態を指す。制御部８は、上記の所定の条件を満たした場合に、結露を検出したものとする。
【００２９】
なお、湿度センサ７の検出値が、１００％に近似する値である場合、既に結露が発生しているか、まもなく結露が発生し始める状態にあり、検出値の所定時間における平均変化率の値に関係なく、結露を検出したものとしてもよい。
【００３０】
制御部８は、通常時、つまり、所定の条件を満たしていない場合、通常運転モードにて送風装置１の動作を制御している。通常運転モードの一例として、制御部８は、所定の回動範囲において回動動作を繰り返すように風向板５を制御している。所定の回動範囲とは、下枠１４ａ及び上枠１４ｂに囲まれる範囲を指す。つまり、制御部８は、下枠１４ａから上枠１４ｂにかけて送風するように風向板５をスイングさせている。また、制御部８は、クロスフローファン３の回転数が任意の回転数となるようにファンモータ３ａを制御している。
【００３１】
送風装置１において、通常運転モード時における風向板５の所定の回動範囲は、ユーザによって予め設定される。ユーザは、操作部１０を操作して、一方の回動端における回動角度となるように風向板５の回動角度を調整する。調整が完了すると、ユーザは、操作部１０を操作して、現在の風向板５の回動角度を、一方の回動端における回動角度として設定する。同様に、ユーザは、操作部１０を操作して、他方の回動端における回動角度となるように風向板５の回動角度を調整する。調整が完了すると、ユーザは、操作部１０を操作して、現在の風向板５の回動角度を、他方の回動端における回動角度として設定する。制御部８は、風向板５の一方の回動端における回動角度及び他方の回動端における回動角度から所定の回動範囲を設定する。
【００３２】
なお、所定の回動範囲を設定する方法は、上記の方法に限らず、例えば、所定の回動範囲を予め設定させておいてもよい。また、床面に対する下枠１４ａの高さ情報と、床面に対する上枠１４ｂの高さ情報と、送風装置１及び窓枠１４の離間距離情報とを操作部１０を用いて入力し、制御部８は入力された情報に基づいて回動範囲を設定してもよい。
【００３３】
制御部８は、所定の条件を満たした場合、つまり、結露を検出した場合、通常運転モードから結露除去運転モードに切り換えて送風装置１の動作を制御している。結露除去運転モードでは、制御部８は、下枠１４ａに向けて送風できるように、風向板５の回動を制御する。また、制御部８は、所定の条件を満たしていない場合（通常運転モード時）と比較してクロスフローファン３の回転数を上昇させる。
【００３４】
結露除去運転モードでは、制御部８は、所定時間毎に、所定の回動範囲において回動動作を繰り返すように風向板５の回動を制御する。所定の回動範囲とは、下枠１４ａ及び上枠１４ｂに囲まれる範囲を指す。つまり、制御部８は、所定の条件を満たした場合、集中的に下枠１４ａに送風を行うとともに、定期的に、風向板５をスイングさせて下枠１４ａから上枠１４ｂにかけて送風するように風向板５を制御する。
【００３５】
送風装置１において、所定の条件を満たした場合の風向板５の回動角度は、ユーザによって予め設定される。ユーザは、操作部１０を操作して、吹出口２ｇから吹き出される空気の方向が下枠１４ａとなるように風向板５の回動角度を調整する。調整が完了すると、ユーザは、操作部１０を操作して、現在の風向板５の回動角度を、結露除去運転モード時の風向板５の回動角度として設定する。また、結露除去運転モード時における風向板５の所定の回動範囲は、通常運転モード時における所定の回動範囲と同様のため、特に設定は必要とされていないが、通常運転モード時と、結露除去運転モード時とで、回動範囲が異なる場合、個別に設定してもよい。
【００３６】
なお、結露除去運転モード時における風向板５の回動角度を設定する方法は、上記の方法に限らず、例えば、所定の回動角度を予め設定しておいてもよい。また、床面に対する下枠１４ａの高さ情報と、送風装置１及び窓枠１４の離間距離情報とを操作部１０を用いて入力し、制御部８は入力された情報に基づいて回動角度を設定してもよい。
【００３７】
制御部８は、所定の条件を満たした場合、窓枠１４（例えば、下枠１４ａ）に向けて送風するように、風向板５の回動を制御する。このような構成によれば、結露が発生しやすい窓枠１４に集中的に送風して、窓枠１４近傍に付着した水滴付近の空気をかき混ぜることで、蒸発を促進させて、水滴を除去することができる。特に下枠１４ａに向けて送風することで、仮に窓ガラス１３等に結露が発生したとしても、自重により落ちてくる水滴を下枠１４ａ近傍において除去することができる。そのため、下枠１４ａ及び床面の腐食やカーテン１２のカビの繁殖を防止することができる。また、吹出口２ｇから吹き出される空気の一部は、窓ガラス１３に沿って流れるため、窓ガラス１３近傍の空気をかき混ぜることができる。そのため、下枠１４ａ近傍だけでなく、窓ガラス１３に結露が発生することを抑制することができる。
【００３８】
また、制御部８は、所定の条件を満たした場合、クロスフローファン３の回転数を上昇させる。このような構成によれば、窓枠１４近傍に付着した水滴により多くの風を当てて、窓枠１４近傍の空気をかき混ぜることができる。
【００３９】
制御部８は、所定の条件を満たしている場合、所定時間毎に、風向板５をスイングさせる。このような構成によれば、下枠１４ａの結露を除去しながら、定期的に、窓ガラス１３、上枠１４ｂ等に向けて送風させることで、窓ガラス１３、上枠１４ｂ等に結露が発生することを抑制することができる。
【００４０】
制御部８は、所定の条件を満たしていない場合、風向板５をスイングさせて、下枠１４ａから上枠１４ｂにかけて送風可能にしている。このような構成によれば、下枠１４ａから上枠１４ｂにかけて送風することで、窓枠１４や窓ガラス１３近傍の空気をかき混ぜることで、結露の発生を抑制している。また、仮に結露が発生したとしても、窓枠１４及び窓ガラス１３に付着した水滴に直接風を当てて、水滴付近の空気をかき混ぜることで、蒸発を促進させ、水滴を除去しやすい。
【００４１】
また、吸込口２ｆが筐体２の背面２ｂ側（室内側）に設けられることで、出窓１１側の空気と比較して暖かい空気を送風装置１から送り出すことができる。そのため、窓枠１４や窓ガラス１３近傍の温度を上昇させやすく、結露の発生をより抑制することができる。
【００４２】
送風路２ｈ内には、イオン発生部４が設けられる。このような構成によれば、仮に結露の発生に伴って窓枠１４や床面やカーテン１２にカビが生じたとしても、プラスイオン及びマイナスイオンを吹出口２ｇから送り出し、カビに対して抑制効果を発揮する。
【００４３】
制御部８は、所定の条件を満たした場合、窓枠１４（例えば、下枠１４ａ）に向けて送風できるように風向板５の回動角度を制御することが好ましいが、これに限らず、例えば、窓ガラス１３に向けて送風できるように風向板５の回動角度を制御してもよい。
【００４４】
送風装置１は、所定の条件を満たしている場合、所定時間毎に、風向板５をスイングさせる構成としているが、これに限定されない。例えば、所定の条件を満たした場合、下枠１４ａと、上枠１４ｂと、に交互に送風するように風向板５の回動を制御してもよい。このような構成によれば、結露が発生しやすい窓枠１４に集中的に送風して、窓枠１４近傍に付着した水滴付近の空気をかき混ぜることで、蒸発を促進させて、水滴を除去することができる。
【００４５】
なお、吹出口２ｇが筐体２の上面２ｅに設けられているが、下枠１４ａと、上枠１４ｂと、に囲まれる範囲を送風可能であればよく、これに限定されない。例えば、筐体２の前面２ａ、又は前面２ａから上面２ｅにかけて吹出口を設けてもよい。
【００４６】
図５は、結露の検出処理の流れを説明するためのフロー図である。以下の処理を実行するにあたり、送風装置１の運転モードは、通常運転モードにて開始される。また、風向板５の所定の回動範囲及び結露除去運転モード時における風向板５の回動角度は、ユーザによって予め設定されているものとする。
【００４７】
ステップＳ１０１において、制御部８は、湿度センサ７の検出値が閾値Ｔ１以上であるか否かを判定する。制御部８は、湿度センサ７の検出値が閾値Ｔ１以上であると判定した場合はステップＳ１０２に進み、制御部８は、湿度センサ７の検出値が閾値Ｔ１以上でないと判定した場合は、所定の条件を満たしていないため、終了となる。
【００４８】
ステップＳ１０２において、制御部８は、湿度センサ７の検出値と、過去の検出値とに基づいて検出値の所定時間における平均変化率を算出して、ステップＳ１０３に進む。
【００４９】
ステップＳ１０３において、制御部８は、平均変化率が閾値Ｔ２以上であるか否かを判定する。制御部８は、平均変化率が閾値Ｔ２以上であると判定した場合、ステップＳ１０４に進み、平均変化率が閾値Ｔ２以上でないと判定した場合、所定の条件を満たしていないため、終了となる。
【００５０】
ステップＳ１０４において、制御部８は、所定の条件を満たし、通常運転モードから結露除去運転モードに切り換えて、ファンモータ３ａ及び風向板モータ５ａのうち少なくとも一方を制御し、終了となる。
【００５１】
湿度センサ７の検出値と、検出値の所定時間における平均変化率と、に基づいて所定の条件を設定しているが、これに限定されない。例えば、湿度センサ７の検出値のみに基づいて所定の条件を設定してもよい。この場合、湿度センサ７の検出値が高いほど、クロスフローファン３の回転数を上昇させるようにファンモータ３ａを制御してもよい。また、湿度センサ７の検出値が、所定の閾値を超えた場合に窓枠１４（例えば、下枠１４ａ）に向けて送風するように、風向板モータ５ａを制御してもよい。
【００５２】
（第２の実施形態）
本実施の形態では、送風装置１Ａが、湿度センサ７を用いる代わりに、同じ部屋に設置された他の家電（例えば、空気調和機）によって得られた情報を利用して、結露を検出する構成について説明する。
【００５３】
図６は、本実施の形態に係る送風装置１Ａを備えた家電システム１００の概略構成を表した図である。図６を参照して、家電システム１００は、送風装置１Ａと、空気調和機（エアーコンディショナ）３０と、を備えている。送風装置１Ａと、空気調和機３０とは、同じ部屋に設置されている。
【００５４】
空気調和機３０は、室内機３０ａ及び室外機３０ｂを有する。室内機３０ａは、室内の温湿度情報を検出する温湿度センサ（図示しない）を備えている。室外機３０ｂは、屋外の温度情報（外気温情報）を検出する温度センサ（図示しない）を備えている。つまり、空気調和機３０は、室内の温湿度情報及び外気温情報を有している。
【００５５】
図７は、送風装置１Ａのハードウェア構成を表した図である。送風装置１Ａは、制御部２０と、通信部２１と、記憶部２２と、ファンモータ３ａと、風向板モータ５ａと、操作部１０と、を備える。
【００５６】
制御部２０は、実施の形態１の制御部８と同様の機能を有する。制御部２０は、さらに、通信部２１を用いた通信を行う。通信部２１は、他の家電装置（例えば、空気調和機３０）との間で各種のデータをやり取りするための通信インターフェイスである。送風装置１Ａの通信部２１は、空気調和機３０の通信部（図示しない）と無線通信規格により互いに直接接続されている。
【００５７】
制御部２０は、通信部２１を介して、空気調和機３０が送信した室内の温湿度情報を取得する。制御部２０は、通信部２１を介して、空気調和機３０が送信した外気温情報を取得する。
【００５８】
記憶部２２は、任意の温度と、任意の温度での所定体積当たりの飽和水蒸気量と、の関係を表すグラフ情報（図８参照）を格納している。図８において、横軸は温度を、縦軸は空気１立方メートル当たりの飽和水蒸気量を示す。
【００５９】
送風装置１Ａの結露の検出について説明する。制御部２０は、所定の条件を満たした場合に、結露を検出したものとして、ファンモータ３ａ及び風向板モータ５ａのうち、少なくとも一方を制御する。所定の条件は、室内の温度での所定体積当たりの水蒸気量と、窓（下枠１４ａ）近傍の温度での所定体積当たりの飽和水蒸気量と、に基づいて設定される。より具体的には、室内の温度での所定体積当たりの水蒸気量が窓（下枠１４ａ）近傍の温度での所定体積当たりの飽和水蒸気量よりも大きい場合を所定の条件として設定している。
【００６０】
制御部２０は、室内の温湿度情報と、グラフ情報とを用いて、室内の温度での所定体積当たりの水蒸気量を算出する。具体的には、制御部２０は、室内の温度情報と、グラフ情報と、から室内の温度での所定体積当たりの飽和水蒸気量を算出し、算出された室内の温度での所定体積当たりの飽和水蒸気量と、室内の湿度情報と、から室内の温度での所定体積当たりの水蒸気量を算出する。
【００６１】
制御部２０は、外気温情報から推定される下枠１４ａ近傍の温度と、グラフ情報とを用いて、窓（下枠１４ａ）近傍の温度での所定体積当たりの飽和水蒸気量を算出する。具体的には、記憶部２２は、外気温情報と、室内の温度（窓近傍の温度）と、を試験的に測定した結果を予め有している。制御部２０は、外気温情報と、記憶部２２に格納される測定結果に基づいて下枠１４ａ近傍の温度を推定し、推定された下枠１４ａ近傍の温度と、グラフ情報とを用いて、窓（下枠１４ａ）近傍の温度での所定体積当たりの飽和水蒸気量を算出する。
【００６２】
制御部２０は、室内の温度での所定体積当たりの水蒸気量と、下枠１４ａ近傍の温度での飽和水蒸気量とを比較して、室内の温度での所定体積当たりの水蒸気量の方が大きい場合（所定の条件を満たし場合）に、結露を検出したものとする。さらに、制御部２０は、所定の条件を満たした場合、室内の温度での所定体積当たりの水蒸気量から下枠１４ａ近傍の温度での飽和水蒸気量を差し引いた値の大きさに基づいて結露の度合いを設定してもよい。
【００６３】
制御部２０は、所定の条件を満たした場合に、つまり、結露を検出した場合、通常運転モードから結露除去運転モードに切り換えて送風装置１Ａの動作を制御している。結露除去運転モードにおいて、制御部２０は、結露の度合いに応じてクロスフローファン３の回転数を制御してもよい。例えば、結露の度合いが大きいほど、クロスフローファンの回転数を大きくし、結露の度合いが小さいほど、クロスフローファン３の回転数を小さくするように制御部２０はファンモータ３ａを制御する。
【００６４】
制御部２０は、外気温情報から下枠１４ａ近傍の温度を推定しているが、これに限定されない。例えば、サーミスタからなる温度センサを、送風装置１Ａの筐体２の前面２ａから前方（下枠１４ａ側）へ露出した状態で配置することで、下枠１４ａ近傍の温度を検出（取得）してもよい。
【００６５】
また、室内の温湿度情報を他の家電（例えば空気調和機３０）から取得するように構成されているが、これに限定されない。例えば、温湿度センサを、送風装置１Ａの筐体２の背面２ｂから後方（室内側）へ露出した状態で配置することで、室内の温湿度を検出（取得）してもよい。また、送風装置１Ａの通信部２１が、他の家電（例えば空気調和機３０）の通信部と直接接続されているが、これに限定されない。
【００６６】
（第３の実施形態）
図９は、本実施の形態に係る送風装置１Ｂを備えた家電システム１１０の概略構成を表した図である。図９に示すように、送風装置１Ｂの通信部及び空気調和機３０の通信部が無線ルータ３１及びネットワーク３２を介してサーバ装置に接続されてもよい。この際、外気温情報や他の家電が取得した情報は、サーバ装置から取得される。
【００６７】
本発明は、上記の各実施の形態に限定されるものではなく、上記の各実施の形態で示した構成と実質的に同一の構成、同一の作用効果を奏する構成又は同一の目的を達することができる構成で置き換えてもよい。
【符号の説明】
【００６８】
１  送風装置、１Ａ  送風装置、１Ｂ  送風装置、２  筐体、２ｆ  吸込口、２ｇ  吹出口、２ｈ  送風路、３  クロスフローファン、３ａ  ファンモータ、４  イオン発生部、５  風向板、５ａ  風向板モータ、７  湿度センサ、８  制御部、９  記憶部、１１  出窓、１２  カーテン、１３  窓ガラス、１４  窓枠、１４ａ  下枠、２０  制御部、２１  通信部、２２  記憶部、Ｔ１・Ｔ２  閾値
【図１】
2020020524.tif 000003
【図２】
2020020524.tif 000004
【図３】
2020020524.tif 000005
【図４】
2020020524.tif 000006
【図５】
2020020524.tif 000007
【図６】
2020020524.tif 000008
【図７】
2020020524.tif 000009
【図８】
2020020524.tif 000010
【図９】
2020020524.tif 000011